(57)【特許請求の範囲】
【請求項１】
基板と、
前記基板上に形成されるインピーダンスマッチング／給電部と、
前記インピーダンスマッチング／給電部と結合され、前記基板上に形成される第１放射部材と、を含み、
前記インピーダンスマッチング／給電部は、細長い形状を有し、接地と連結される第１マッチング部材、及び細長い形状を有し、前記第１マッチング部材と離隔して配置され、
給電点と電気的に連結される第２マッチング部材を含み、
前記第１マッチング部材及び第２マッチング部材のうち少なくとも１つは、前記第１マッチング部材または第２マッチング部材から突出する複数のカップリングエレメントを含み、前記第１放射部材は前記インピーダンスマッチング／給電部の前記第１マッチング部材から延長され、
前記第１放射部材は第２マッチング部材から離れる方向に延長され、
前記第２マッチング部材は、前記第１放射部材の始点と関連する位置でターミネートされ、前記第１放射部材の先端は開放されることを特徴とする多重帯域内蔵型アンテナ。
【請求項２】
前記第１マッチング部材及び前記第２マッチング部材は、カップリングによってインピーダンスマッチングを行うことを特徴とする請求項１に記載の多重帯域内蔵型アンテナ。
【請求項３】
前記複数のカップリングエレメントは、前記第１マッチング部材及び前記第２マッチング部材から垂直に突出し、全体的に櫛歯形態を形成することを特徴とする請求項２に記載の多重帯域内蔵型アンテナ。
【請求項４】
前記第１マッチング部材から突出するカップリングエレメントと前記第２マッチング部材から突出するカップリングエレメントは、相互に離隔して噛み合うように形成されることを特徴とする請求項２に記載の多重帯域内蔵型アンテナ。
【請求項５】
前記第１マッチング部材から突出するカップリングエレメントと前記第２マッチング部材から突出するカップリングエレメントの突出幅及び突出長は、部分的に異なるように設定されることを特徴とする請求項２に記載の多重帯域内蔵型アンテナ。
【請求項６】
前記第１マッチング部材及び前記第２マッチング部材の離隔距離は、部分的に異なるように設定されることを特徴とする請求項２に記載の多重帯域内蔵型アンテナ。
【請求項７】
前記第１放射部材は、前記インピーダンスマッチング／給電部の前記第１マッチング部材から延長され、前記第２マッチング部材からカップリングによって給電を受けることを特徴とする請求項２に記載の多重帯域内蔵型アンテナ。
【請求項８】
前記基板上に形成されて接地と電気的に連結され、前記インピーダンスマッチング／給電部の前記第２マッチング部材からカップリングによって給電を受ける第２放射部材をさらに含むことを特徴とする請求項２に記載の多重帯域内蔵型アンテナ。
【請求項９】
前記基板上に形成され、前記インピーダンスマッチング／給電部の前記第２マッチング部材と電気的に結合し給電を受ける第２放射部材をさらに含むことを特徴とする請求項２に記載の多重帯域内蔵型アンテナ。
【発明の詳細な説明】
【技術分野】
【０００１】
本発明はアンテナに係り、より詳細には多重帯域内蔵型アンテナ（Ｕｌｔｒａ  Ｗｉｄｅ  Ｂａｎｄ  Ｍｏｎｏｐｏｌｅ  Ｉｎｔｅｒｎａｌ  Ａｎｔｅｎｎａ）｝に関するものである。
【背景技術】
【０００２】
最近の移動通信端末は、小型化及び軽量化に加えてさらに、互いに異なる周波数帯域の移動通信サービスを１つの端末を用いて提供できる機能が要求されている。例えば、韓国で商用化された８２４〜８９４ＭＨｚ帯域のＣＤＭＡサービスと、１７５０〜１８７０ＭＨｚ帯域のＰＣＳサービス、日本で商用化された８３２〜９２５ＭＨｚ帯域のＣＤＭＡサービス、米国で商用化された１８５０〜１９９０ＭＨｚ帯域のＰＣＳサービス、ヨーロッパ、中国などで商用化された８８０〜９６０ＭＨｚ帯域のＧＳＭサービス及びヨーロッパの一部地域で商用化された１７１０〜１８８０ＭＨｚ帯域のＤＣＳサービスなどの多様な周波数帯域を利用した移動通信サービスのうち、必要に応じて多重帯域の信号を同時に利用できる端末が要求されている。
【０００３】
この他にも、ブルートゥース、ジグビー（ＺｉｇＢｅｅ）、無線ＬＡＮ、ＧＰＳなどのサービスを利用できる複合端末が要求されているのが実情である。このような多重帯域のサービスを利用するための端末には、所望の２つ以上の帯域で動作できる多重帯域アンテナが用いられなければならない。
【０００４】
一般的に用いられる移動通信端末のアンテナとしては、ヘリカルアンテナ（ｈｅｌｉｃａｌ  ａｎｔｅｎｎａ）と平面逆Ｆ型アンテナ（Ｐｌａｎａｒ  Ｉｎｖｅｒｔｅｄ−Ｆ  Ａｎｔｅｎｎａ：  ＰＩＦＡ）が主に用いられる。
【０００５】
ここで、ヘリカルアンテナは端末の上端に固定された外装型アンテナとしてモノポールアンテナと共に用いられる。ヘリカルアンテナとモノポールアンテナが併用される形態は、アンテナを端末本体から引出（ｅｘｔｅｎｄｅｄ）するとモノポールアンテナとして動作し、挿入（Ｒｅｔｒａｃｔｅｄ）するとλ／４ヘリカルアンテナとして動作する。このようなアンテナは、高い利得が得られる長所があるが、無指向性によって電磁波人体有害基準であるＳＡＲ特性が良くない。また、ヘリカルアンテナは端末の外部に突出した形状で構成されるので、端末の美的外観及び携帯機能に適した外観設計が難しく、これに対する内蔵型の構造はまだ研究されたことがない。
【０００６】
そして、逆Ｆ型アンテナはこのような短所を克服するために、低いプロファイル構造を有するように設計されたアンテナである。逆Ｆ型アンテナは、上記放射部に誘起された電流によって発生する全体ビームのうち接地面側へ向かうビームが再誘起されて人体に向かうビームを減衰させ、ＳＡＲ特性を改善する同時に、放射部方向に誘起されるビームを強化させる指向性を有し、長方形である平板型放射部の長さが半分に減少した長方形のマイクロストリップアンテナとして作動するようになって、低いプロファイル構造を実現できる。
【０００７】
このような逆Ｆ型アンテナは、人体方向へのビームの強度を減衰させ、人体外側方向へのビームの強度を強くする指向性を有する放射特性を有するため、ヘリカルアンテナと比較して電磁波吸収率の優れた特性が得られる。しかし、逆Ｆ型アンテナは、多重帯域で動作するように設計した場合、周波数帯域幅が狭い問題点がある。
【０００８】
逆Ｆ型アンテナが多重帯域で動作するように設計した時に周波数帯域幅が狭くなることは、放射体とのマッチング時に特定点でマッチングが行われるポイントマッチングに起因する。
【０００９】
多重帯域でのより安定した動作のために、低いプロファイル構造を有しながら逆Ｆ型アンテナの短所である狭帯域特性を克服できるアンテナが要求されている。
【発明の概要】
【発明が解決しようとする課題】
【００１０】
本発明においては、上記のような従来技術の問題を解決するために、多重帯域設計時に広帯域特性を有する多重帯域内蔵型アンテナを提案しようとする。
【００１１】
本発明の他の目的は、カップリングによるマッチングを利用して、広帯域特性を有する多重帯域内蔵型アンテナを提案することである。
【００１２】
本発明のもう一つの目的は、ハンドエフェクトのような外部的要因による影響をより少なく受ける多重帯域アンテナを提案することである。
【００１３】
本発明の他の目的は、下記の実施例を通じて当業者により導き出されることが可能である。
【課題を解決するための手段】
【００１４】
上述した目的を達成するために、本発明の一側面によると、基板と、上記基板上に形成されるインピーダンスマッチング／給電部と、上記インピーダンスマッチング／給電部と結合する第１放射部材と、を含み、上記インピーダンスマッチング／給電部は、細長い形状を有し、接地と連結される第１マッチング部材、及び細長い形状を有し、上記第１マッチング部材と離隔して配置され、給電点と電気的に連結される第２マッチング部材を含み、上記第１マッチング部材及び上記第２マッチング部材間の離隔距離は部分的に異なる、多重帯域内蔵型アンテナが提供される。
【００１５】
上記第１マッチング部材及び上記第２マッチング部材は、カップリングによってインピーダンスマッチングを行うことができる。
【００１６】
上記第１マッチング部材は、少なくとも１回以上折曲された構造であって、上記第２マッチング部材は、上記第１マッチング部材の折曲構造に相応して折曲されることができる。
【００１７】
上記第１放射部材は、上記インピーダンスマッチング／給電部の上記第１マッチング部材から延長され、上記第２マッチング部材からカップリングによって給電を受けることができる。
【００１８】
上記アンテナは、上記基板上に形成されて接地と電気的に連結され、上記インピーダンスマッチング／給電部の上記第２マッチング部材からカップリングによって給電を受ける第２放射部材をさらに含むことができる。
【００１９】
一方、他の実施例によると、上記アンテナは上記基板上に形成され、上記インピーダンスマッチング／給電部の上記第２マッチング部材と電気的に結合して給電を受ける第２放射部材をさらに含むことができる。
【００２０】
本発明の他の側面によると、基板と、上記基板上に形成されるインピーダンスマッチング／給電部と、上記インピーダンスマッチング／給電部と結合する第１放射部材と、を含み、上記インピーダンスマッチング／給電部は、細長い形状を有し、接地と連結される第１マッチング部材、及び細長い形状を有し、上記第１マッチング部材と離隔して配置され、給電点と電気的に連結される第２マッチング部材を含み、上記第１マッチング部材及び第２マッチング部材のうち少なくとも１つには、上記第１マッチング部材または第２マッチング部材から突出する複数のカップリングエレメントを含む多重帯域内蔵型アンテナが提供される。
【発明の効果】
【００２１】
本発明によると、上記第１、第２マッチング部材の離隔距離は、部分的に異なるので、広帯域特性を有する多重帯域内蔵型アンテナの提供が可能になる。また、本発明によると、ハンドエフェクトのような外部的な要因による影響をより受けない多重帯域アンテナの提供が可能になる。
【図面の簡単な説明】
【００２２】
【図１】は、本発明の第１実施例による多重帯域内蔵型アンテナの構造を示した図面である。
【図２】は、図１に示されたアンテナのＳ１１パラメータを示した図面である。
【図３】は、本発明の第２実施例による多重帯域内蔵型アンテナの構造を示した図面である。
【図４】は、本発明の第２実施例によるアンテナのＳ１１パラメータを示した図面である。
【図５】は、本発明の第３実施例による多重帯域内蔵型アンテナの構造を示した図面である。
【図６】は、本発明の第３実施例による多重帯域アンテナのＳ１１パラメータを示した図面である。
【図７】は、本発明の第４実施例による多重帯域内蔵型アンテナの構造を示した図面である。
【図８】は、本発明の第４実施例による多重帯域アンテナのＳ１１パラメータを示した図面である。
【図９】は、本発明の第３実施例による多重帯域内蔵型アンテナが端末のアンテナキャリアに結合した構造を示した図面である。
【図１０】は、本発明の第４実施例による多重帯域内蔵型アンテナが端末のＰＣＢに結合した構造を示した図面である。
【図１１】は、本発明の第２実施例に係る第１、第２カップリングエレメントの第１変形例の構造を示した図面である。
【図１２】は、本発明の第２実施例に係る第１、第２カップリングエレメントの第２変形例の構造を示した図面である。
【図１３】は、本発明の第２実施例に係る第１、第２カップリングエレメントの第３変形例の構造を示した図面である。
【発明を実施するための形態】
【００２３】
以下では、添付した図面を参照して、本発明による多重帯域内蔵型アンテナの好ましい実施例を詳細に説明する。
【００２４】
本実施例においては、ＧＳＭサービス帯域、ＰＣＳサービス帯域、及びＷＣＤＭＡサービス帯域で用いる多重帯域アンテナを例として説明する。しかし、本発明の多重帯域アンテナは、上述した帯域に限定されるものではなく、多様な周波数帯域に対する多重帯域アンテナとして動作することも可能である。
【００２５】
図１は、本発明の第１実施例による多重帯域内蔵型アンテナの構造を示した図面である。
図１を参照すると、本発明の第１実施例による多重帯域内蔵型アンテナは、基板（１００）、基板上に形成される放射部材（１０２）及びインピーダンスマッチング／給電部（１０４）を含む。
【００２６】
図１において、基板（１００）は誘電体材質から構成され、他の構成要素が結合するアンテナの本体として機能する。多様な誘電体材質を基板（１００）に適用できる。一例として、ＰＣＢ基板またはＦＲ４基板などを基板として使用できる。
【００２７】
前述したように、逆Ｆ型アンテナのような構造のアンテナは、短絡ピンなどによって放射部材とのポイントマッチングが行われた。このようなポイントマッチングは、周波数帯域幅を狭くする問題点があった。
【００２８】
本発明の好ましい実施例によると、このようなポイントマッチングの問題を解決するためにカップリングによるインピーダンスマッチング方式が提案され、所定の長さを有するインピーダンスマッチング／給電部（１０４）が備えられる。
【００２９】
インピーダンスマッチング／給電部（１０４）は、接地（図示せず）と電気的に連結される、細長い形状を有する第１マッチング部材（１２０）と、給電点（図示せず）と電気的に連結される、細長い形状を有する第２マッチング部材（１３０）を含む。インピーダンスマッチング／給電部（１０４）において、第２マッチング部材（１３０）から第１マッチング部材（１２０）へのカップリング給電が行われ、第１マッチング部材（１２０）と電気的に連結される放射部材（１０２）においてＲＦ信号の送受信が行われる。第１、第２マッチング部材の形状は各々、概ね細長いが、後述するように、その輪郭線は折曲による凹凸を含む。
【００３０】
第１マッチング部材（１２０）及び第２マッチング部材（１３０）は互いに離隔して、即ち或る間隔をおいて形成され、第１マッチング部材（１２０）と第２マッチング部材（１３０）の相互作用によるカップリングとこれによるインピーダンスマッチングが前記間隔を介して行われる。第１マッチング部材（１２０）と第２マッチング部材（１３０）の相互作用時に、容量性成分と誘導性成分のうち容量性成分がより主要な要素として作用し、本実施例においては容量性成分を多様化して広帯域に対するインピーダンスマッチングを提供する構造が提案される。
【００３１】
容量性成分の多様化のために、第１マッチング部材（１２０）と第２マッチング部材（１３０）の離隔距離は、前記間隔の長手上の位置に依存して互いに異なる（以下、これを「部分的に異なる」という）。
【００３２】
図１には、第１マッチング部材（１２０）と第２マッチング部材（１３０）の離隔距離を「部分的に異ならせる」ための一例として、第１マッチング部材（１２０）が単数又は複数箇所（本図の場合は、３箇所）において折曲され、第２マッチング部材（１３０）がこれに相応して折曲された構造が示されている。
【００３３】
折曲された地点を基準に、第１マッチング部材（１２０）は３つのパートに区分され、Ａ１−Ａ１’パート、Ａ２−Ａ２’パート、及びＡ３−Ａ３’パートに区分される。一方、第２マッチング部材（１３０）は、第１マッチング部材（１２０）に相応して折曲され、Ｂ１−Ｂ１’パート、Ｂ２−Ｂ２’パート、及びＢ３−Ｂ３’パートに区分される。
【００３４】
本発明の好ましい実施例によると、Ａ１−Ａ１’パートとＢ１−Ｂ１’パート間の離隔距離（ｄ１）、Ａ２−Ａ２’パートとＢ２−Ｂ２’パート間の離隔距離（ｄ２）及びＡ３−Ａ３’パートとＢ３−Ｂ３’パート間の離隔距離（ｄ３）は、それぞれ互いに異なるように設定される。
【００３５】
即ち、第１マッチング部材（１２０）と第２マッチング部材（１３０）を折曲された構造に具現し、離隔距離を「部分的に」異なるようにすることによって、カップリングとこれによるインピーダンスマッチング及び給電による広帯域特性を満たすようにする。
【００３６】
図１には、第１マッチング部材（１２０）及び第２マッチング部材（１３０）の折曲によって、第１マッチング部材（１２０）と第２マッチング部材（１３０）の離隔距離を「部分的に異なる」ようにする実施例を示しているが、図１に示した実施例以外でも多様な形式で具現可能であることは、当業者であれば理解可能であろう。
【００３７】
例えば、第２マッチング部材（１３０）を一直線に形成し、第１マッチング部材（１２０）を第２マッチング部材（１３０）に対して斜め方向に配置し、その間の距離を連続的に異なるようにする方式も考えられる。このように別途の放射部材（１０２）を設けることなく、第１マッチング部材（１２０）と第２マッチング部材（１３０）の間隔を「部分的に異ならせた」多様な実施例も本発明の範疇に包含できる。
【００３８】
放射部材（１０２）は、上述のカップリング給電によりＲＦ信号の提供を受け、外部に放射する機能を果たす。放射部材（１０２）は、インピーダンスマッチング／給電部（１０４）の第１マッチング部材（１２０）に連結される。この時、放射周波数帯域は、放射部材（１０２）の長さ、及びインピーダンスマッチング／給電部（１０４）の長さによって設定できる。
【００３９】
図２は、図１に示したアンテナのＳ１１パラメータを示した図面である。
図２を参照すると、図１に示されたアンテナのＳ１１パラメータは、比較的広帯域の特性を示すことが確認できる。
カップリングによるマッチングが行われる時に、より大きい広帯域特性を得るためには、容量性成分の多様化と共に、特定領域において大きい容量性成分値を獲得する構造が好ましい。また、大きい容量性成分が存在する場合、大きいキャパシタンス値によって、ハンドエフェクト（ｈａｎｄ  ｅｆｆｅｃｔ）のような外部的な要因による影響を減少できるという長所がある。
【００４０】
図３は、本発明の第２実施例による多重帯域内蔵型アンテナの構造を示した図面である。
図３を参照すると、本発明の第２実施例による多重帯域内蔵型アンテナは、基板（３００）、上記基板（３００）上に形成される放射部材（３０２）、及びインピーダンスマッチング／給電部（３０４）を含むことができ、インピーダンスマッチング／給電部（３０４）は、第１マッチング部材（３２０）及び第２マッチング部材（３３０）を含む。
【００４１】
また、第１マッチング部材（３２０）の長手方向に対して垂直に多数の第１カップリングエレメント（３０６）が突出して形成され、第２マッチング部材（３３０）の長手方向に対して垂直に多数の第２カップリングエレメント（３０８）が突出して形成される。
【００４２】
前述した第１実施例のように、第１マッチング部材（３２０）は接地（図示せず）と電気的に連結され、第２マッチング部材（３３０）は給電点（図示せず）と電気的に連結され、給電は第２マッチング部材（３３０）から第１マッチング部材（３２０）へのカップリングによって行われる。
【００４３】
図３に示された本発明の第２実施例による多重帯域内蔵型アンテナは、より大きい容量性成分によるカップリングが可能な構造である。
【００４４】
本発明の第２実施例による内蔵型アンテナは、第１実施例によるアンテナ構造に第１カップリングエレメント（３０６）及び第２カップリングエレメント（３０８）が追加された構造である。
【００４５】
第１カップリングエレメント（３０６）及び第２カップリングエレメント（３０８）は、より大きい容量性成分によるカップリングとこれによるインピーダンスマッチングを可能にする。
【００４６】
図３に示したように、第１カップリングエレメント（３０６）及び第２カップリングエレメント（３０８）は、櫛歯（Ｃｏｍｂ）状に各々複数個あり、第１マッチング部材及び第２マッチング部材から突出して形成される。好ましくは、第１カップリングエレメント（３０６）及び第２カップリングエレメント（３０８）は全体的に櫛歯形態をなして互いに離隔して或る間隔をおいて噛み合うように形成される。
【００４７】
このような、カップリングエレメント（３０６、３０８）は、第１マッチング部材及び第２マッチング部材の間隔の長手方向の長さを実質的に大きく、且つ離隔距離を実質的に小さくして、より大きい容量性成分の獲得を可能にし、また容量性成分の多様化にも寄与できるので、広帯域に亘るマッチングを可能にする。
【００４８】
図４は、本発明の第２実施例によるアンテナのＳ１１パラメータを示した図面である。
図４を参照すると、第２実施例によるアンテナは、図２に示した第１実施例のアンテナに比べてより優れた広帯域特性を有することが確認できる。
第１マッチング部材及び第２マッチング部材間のより大きいカップリングを確保するための構造は、図１及び図３に示した構造以外でも多様な方式で具現できる。
【００４９】
図１１〜図１３は、本発明の第２実施例による大きいカップリングを確保するための第１、第２カップリングエレメントの様々な変形例の構造を示した図面である。
図１１〜図１３に示したように、第１、第２カップリングエレメントの間隔の幅及び長さの双方又は一方が、部分的に異なる（即ち、前記間隔の長手上の位置に依存して異なる）ように設定できる。
即ち、図１１では、第１、第２カップリングエレメントの突出幅を部分的に異ならせた結果、第１、第２カップリングエレメントの離隔距離が突出部の頂部において、部分的に異なる。
一方、図１２では、第１、第２カップリングエレメントの突出長を部分的に異ならせた結果、第１、第２カップリングエレメントの離隔距離が突出部の側部において、部分的に異なる。
なお、図１３のように、カップリングエレメントの形状は長方形でなくてもよい。
【００５０】
図５は、本発明の第３実施例による多重帯域内蔵型アンテナの構造を示した図面である。
図５を参照すると、本発明の第３実施例による多重帯域内蔵型アンテナは、基板（５００）、上記基板（５００）上に形成される第１放射部材（５０２）、及びインピーダンスマッチング／給電部（５０４）、及び第２放射部材（５０３）を含む。
【００５１】
インピーダンスマッチング／給電部（５０４）は、接地（図示せず）と電気的に連結される第１マッチング部材（５２０）及び給電点（図示せず）と電気的に連結される第２マッチング部材（５３０）を含み、上記第２実施例の場合と同様に、第１マッチング部材（５２０）及び第２マッチング部材（５３０）には各々、第１、第２カップリングエレメント（５０６、５０８）が突出して形成されることによって、より広帯域に対するマッチングを可能にする。
【００５２】
第１放射部材（５０２）は、第１マッチング部材（５２０）から延長して形成され、カップリングによる給電を受ける。
【００５３】
第３実施例において、第１放射部材（５０２）及びインピーダンスマッチング部（５０４）の構成は前述した第２実施例と同じであり、第２放射部材（５０３）が追加的に備えられる。第２放射部材（５０３）は、第１放射部材（５０２）と異なる帯域の信号を送受信するために追加的に備えられる。
【００５４】
第２放射部材（５０３）は、第１放射部材（５０２）及びインピーダンスマッチング／給電部（５０４）から或る距離だけ離隔され、電気的にも直接接触しない。第２放射部材（５０３）は、接地（図示せず）と電気的に連結され、インピーダンスマッチング／給電部（５０４）部からのカップリングによって給電を受ける。
【００５５】
図５において、第２放射部材（５０３）は第１放射部材（５０２）に比べて短い場合が示されていて、第２放射部材（５０３）は第１放射部材（５０２）に比べて高周波帯域の信号を送受信するために備えられる。
【００５６】
図５には、一回折曲された形態の第２放射部材（５０３）が示されているが、第２放射部材の形態がこれに限定されないという点は当業者にとって自明である。
他の帯域での共振点形成のために追加的に放射部材を備える方式が第２実施例だけでなく第１実施例にも適用可能であるという点も、当業者であれば理解できるであろう。
【００５７】
図６は、本発明の第３実施例による多重帯域アンテナのＳ１１パラメータを示した図面である。
図６を参照すると、第２接地部材（５１０）を追加的に備えることによって、高周波帯域で共振点が形成されたことを確認できる。高周波帯域で２つの共振点が形成され、うち一方の共振点は寄生成分に起因したものである。
【００５８】
図７は、本発明の第４実施例による多重帯域内蔵型アンテナの構造を示した図面である。
図７を参照すると、本発明の第４実施例による多重帯域内蔵型アンテナは、基板（７００）、上記基板（７００）上に形成される第１放射部材（７０２）、上記基板（７００）上に形成されるインピーダンスマッチング／給電部（７０４）、及び第２放射部材（７０３）を含むことができる。
【００５９】
インピーダンスマッチング／給電部（７０４）は、第１マッチング部材（７２０）及び第２マッチング部材（７３０）を含み、第１マッチング部材（７２０）は接地（図示せず）と電気的に連結され、第２マッチング部材（７３０）は給電点（図示せず）と電気的に連結される。
【００６０】
上記第２実施例及び第３実施例の場合と同様に、第１放射部材はインピーダンスマッチング／給電部でのカップリングによる給電を通じてＲＦ信号の送受信を行なう。
【００６１】
第４実施例は、第３実施例と比べて第２放射部材（７０３）がカップリングによる給電を受けず直接給電が行われる。第２放射部材（７０３）は、給電点（図示せず）と電気的に連結されたインピーダンスマッチング／給電部（７０４）の第２マッチング部材（７３０）と電気的に結合して直接的な給電が行われる。
【００６２】
このように、他の帯域での信号の送受信のために放射部材が追加的に備えられる時、該当する放射部材は、第３実施例のようにカップリングによって給電が行われることができ、第４実施例のように直接給電が行われることもできる。
【００６３】
図７には、第２マッチング部材（７３０）及び第２放射部材（７０３）が基板上で電気的に結合した場合を示しているが、第２マッチング部材（７３０）及び第２放射部材（７０３）は必ずしも基板上で結合する必要はなく、他の領域において電気的に結合することもできる。
【００６４】
また、放射部材を追加することによって他の帯域で共振点が形成されるようにする方式が第２実施例だけでなく第１実施例にも適用可能である点は、当業者にとって自明である。
【００６５】
図８は、本発明の第４実施例による多重帯域アンテナのＳ１１パラメータを示した図面である。
図８を参照すると、高周波帯域で共振点が追加的に形成されることを確認できる。一方、図６の第３実施例とは異なって、寄生成分による追加の共振点は形成されないことも確認できる。
【００６６】
図９は、本発明の第３実施例による多重帯域内蔵型アンテナを（移動通信）端末のアンテナキャリアに搭載した構造を示す図面である。
アンテナキャリアは、水平部（９００）及び垂直部（９０２）を含み、垂直部（９０２）は（移動通信）端末の基板（９１０）に対して垂直に形成されて水平部（９００）を支持し、水平部（９００）は端末の基板と平行に形成される。水平部（９００）は、この場合、多重帯域内蔵型アンテナの基板（５００）に他ならない。
【００６７】
図９において、垂直部（９０２）には第１マッチング部材が延長されて端末基板（９１０）の接地（図示せず）と結合され、第２マッチング部材が延長されて給電点（図示せず）と電気的に連結される。また、第２放射部材が備えられる場合、第２放射部材が垂直部（９０２）に延長されて端末基板（９１０）の接地（図示せず）と結合される。
【００６８】
図１０は、本発明の第４実施例による多重帯域内蔵型アンテナを（移動通信）端末の基板に搭載した構造を示す図面である。
図１０を参照すると、第４実施例の第２放射部材及び給電点と連結される第２マッチング部材は、図中のＡ点で電気的に結合され、第２放射部材には直接給電が行われる。
【００６９】
上述した本発明の好ましい実施例は、例示の目的のために開示されたものであって、本発明に対して通常の知識を有する当業者であれば本発明の思想と範囲内で多様な修正、変更、付加が可能であり、このような修正、変更及び付加は下記特許請求の範囲に属するものとみなすべきである。
【符号の説明】
【００７０】
１００、３００、５００、７００    基板
１０２、３０２    放射部材
１０４、３０４、５０４、７０４    インピーダンスマッチング／給電部
１２０、３２０、５２０    第１マッチング部材
１３０、３３０、５３０    第２マッチング部材
３０６、５０６、７０６    第１カップリングエレメント
３０８、５０８、７０８    第２カップリングエレメント
５０２、７０２    第１放射部材
５０３、７０３    第２放射部材
９００    （アンテナキャリアの）水平部
９０２    （アンテナキャリアの）垂直部
９１０    （移動通信）端末の基板
【図１】
0005777885.tif 000002
【図２】
0005777885.tif 000003
【図３】
0005777885.tif 000004
【図４】
0005777885.tif 000005
【図５】
0005777885.tif 000006
【図６】
0005777885.tif 000007
【図７】
0005777885.tif 000008
【図８】
0005777885.tif 000009
【図９】
0005777885.tif 000010
【図１０】
0005777885.tif 000011
【図１１】
0005777885.tif 000012
【図１２】
0005777885.tif 000013
【図１３】
0005777885.tif 000014